(57)【要約】【課題】ポール装置において、電動ポンプのような大がかりな設備がなくても、格納ケース（地下箱）に進入した水を確実に排出する。【解決手段】ポンプ室５１の内部に、インペラ（羽根車）が配置されている。電動モータ４１が長ネジ３３を回転させると、歯車５６も一緒に回転する。歯車５６が回転すると歯車５５と歯車５４が回転する。歯車５４には、インペラの回転軸が固定されている。このため、歯車５４が回転すると、インペラが回転する。従って、電動モータ４１が長ネジ３３を回転させると、インペラも同時に回転する。地下箱の内部に水が溜まっているとき、インペラが回転すると、地下箱に溜まった水がポンプ室５１に吸い込まれる。吸い込まれた水は排水管５２を通って地下箱の蓋部２１の排水口２３から排出される。【選択図】図２
2011246876.tif 000002
【特許請求の範囲】
【請求項１】
開口と排水口を有する蓋部を備えた地下箱と、
上昇すると前記地下箱の開口から突き出し、下降すると前記地下箱の内部に収納されるポールと、
前記地下箱の内部に収納されており、前記ポールを上昇および下降させる昇降部と、
前記地下箱の内部に収納されており、前記昇降部を駆動し、前記昇降部に前記ポールを上昇および下降させる駆動部と、
前記地下箱の内部に収納されており、前記駆動部が前記昇降部を駆動するとき、前記駆動部によって同時に駆動され、前記地下箱の内部に溜まった水を前記排水口より排出するポンプ部と、
を備えることを特徴とするポール装置。
【請求項２】
前記ポールは、内部に空洞を有し、底部に開口を備えた筒状であり、
前記昇降部は、
前記地下箱内に軸支され、前記ポールの開口から内部の空洞に伸びており、外周面に螺旋状の溝が刻まれ、前記駆動部によって回転させられる円柱状の長ネジと、
内周面に前記長ネジの螺旋状の溝に対応する溝が刻まれ、前記長ネジがはめ込まれる穴を有し、前記長ネジが回転するとき上昇または下降し、側面が前記ポールの内側面に固着されており、上昇または下降に合わせて前記ポールを上昇または下降させるプレート部と、
を備え、
前記ポンプ部は、
前記地下箱に溜まった水を吸い込むための吸込口と、当該吸込口から吸い込まれた水を吐出するための吐出口と、回転するとき、前記吸込口から吸い込まれて前記吐出口から吐出されるように水の流れを生じさせるインペラとを有し、前記地下箱の底部に配置されたポンプ室と、
前記ポンプ室の配置に載置され、前記長ネジの下端部を回転可能に保持し、前記長ネジの回転を前記インペラの回転軸に伝達して前記インペラを回転させる伝達部と、
前記吐出口に流れ込んだ水を前記地下箱の蓋部の排水口に導き、当該排水口から排出させる排水管と、
を備える、
ことを特徴とする請求項１に記載のポール装置。
【請求項３】
前記インペラは、正方向と逆方向のいずれの方向に回転するときでも、回転軸の直下から水を吸上げ、吸上げられた水を外周に向けて流し、
前記ポンプ室の吸込口は、前記ポンプ室の底部に設けられており、前記インペラの回転軸の直下に位置し、
前記ポンプ室の吐出口は、前記ポンプ室の蓋部の外縁に設けられている、
ことを特徴とする請求項２に記載のポール装置。
【発明の詳細な説明】
【技術分野】
【０００１】
本発明は、車等の出入りを禁止するために用いられるポール装置に関する。
【背景技術】
【０００２】
駐車場等において車等の出入りを必要に応じて禁止するためにポール装置が使用される。ポール装置では、ポールを収納した格納ケースが地面に埋設される。車等の出入りを禁止するときには、ポール装置はポールを上昇させ、地面から突出させる。
【０００３】
このため、格納ケースの蓋にはポールを突き出すための開口が設けられる。しかし、その開口とポールの間のすきま等から雨水等が格納ケースの内部に浸入することがある。
そこで、電動ポンプを備え、電動ポンプを作動させて格納ケースの内部に溜まった水を排水管から排出するポール装置が知られている。
また、格納ケースを密封構造とし、ポールを格納ケースに収納するために下降させるときに高くなる空気圧により、格納ケースの内部に溜まった水を排水管から排出するポール装置が知られている（例えば、特許文献１参照）。
【先行技術文献】
【特許文献】
【０００４】
【特許文献１】特開２００８−３８４７１
【発明の開示】
【発明が解決しようとする課題】
【０００５】
しかしながら、電動ポンプを用いる方法では、電動ポンプを設置するスペースを地上に確保するとともに、電動ポンプが雨に濡れることを防ぐ設備が必要となる。このため、電動ポンプを用いる方法は、コストが高くなる。
また、空気圧により水を排出する方法では、ポールを下降させる毎に排出することができる水の量は少ない。その上、ポール装置を設置した後長期間経過し、密封構造が劣化して密封する機能が著しく低下した場合、水の排出が可能な空気圧を生じなくなるおそれがある。
【０００６】
本発明の目的は、電動ポンプのような大がかりな設備がなくても、格納ケースに進入した水を確実に排出することができるポール装置を提供することである。
【課題を解決するための手段】
【０００７】
上記目的を達成するために、本発明のポール装置は、
開口と排水口を有する蓋部を備えた地下箱と、
上昇すると前記地下箱の開口から突き出し、下降すると前記地下箱の内部に収納されるポールと、
前記地下箱の内部に収納されており、前記ポールを上昇および下降させる昇降部と、
前記地下箱の内部に収納されており、前記昇降部を駆動し、前記昇降部に前記ポールを上昇および下降させる駆動部と、
前記地下箱の内部に収納されており、前記駆動部が前記昇降部を駆動するとき、前記駆動部によって同時に駆動され、前記地下箱の内部に溜まった水を前記排水口より排出するポンプ部と、
を備えることを特徴とする。
【０００８】
好ましくは、前記ポールは、内部に空洞を有し、底部に開口を備えた筒状であり、
前記昇降部は、
前記地下箱内に軸支され、前記ポールの開口から内部の空洞に伸びており、外周面に螺旋状の溝が刻まれ、前記駆動部によって回転させられる円柱状の長ネジと、
内周面に前記長ネジの螺旋状の溝に対応する溝が刻まれ、前記長ネジがはめ込まれる穴を有し、前記長ネジが回転するとき上昇または下降し、側面が前記ポールの内側面に固着されており、上昇または下降に合わせて前記ポールを上昇または下降させるプレート部と、
を備え、
前記ポンプ部は、
前記地下箱に溜まった水を吸い込むための吸込口と、当該吸込口から吸い込まれた水を吐出するための吐出口と、回転するとき、前記吸込口から吸い込まれて前記吐出口から吐出されるように水の流れを生じさせるインペラとを有し、前記地下箱の底部に配置されたポンプ室と、
前記ポンプ室の蓋部に配置され、前記長ネジの下端部を回転可能に保持し、前記長ネジの回転を前記インペラの回転軸に伝達して前記インペラを回転させる伝達部と、
前記吐出口に流れ込んだ水を前記地下箱の蓋部の排水口に導き、当該排水口から排出させる排水管と、
を備える、
ことを特徴とする。
【０００９】
好ましくは、前記インペラは、正方向と逆方向のいずれの方向に回転するときでも、回転軸の直下から水を吸上げ、吸上げられた水を外周に向けて流し、
前記ポンプ室の吸込口は、前記ポンプ室の底部に設けられており、前記インペラの回転軸の直下に位置し、
前記ポンプ室の吐出口は、前記ポンプ室の蓋部の外縁に設けられている、
ことを特徴とする。
【発明の効果】
【００１０】
本発明によれば、ポール装置において、電動ポンプのような大がかりな設備がなくても、格納ケースに進入した水を確実に排出することができる。
【図面の簡単な説明】
【００１１】
【図１】本発明の実施形態に係るポール装置の外観の一例を示す斜視図である。
【図２】本発明の実施形態に係るポール装置の構成の一例を示す斜視図である。
【図３】支柱の形状の一例を示す斜視図である。
【図４】長ネジナットの構成の一例を示す断面図である。
【図５】ポンプ部の構成の一例を示す断面図である。
【図６】インペラの構造の一例を示す斜視図である。
【図７】水の排出口の形状の一例を示す図である。
【発明を実施するための形態】
【００１２】
以下、本発明の実施形態に係るポール装置について図面を参照しながら説明する。
【００１３】
図１は、本発明の実施形態に係るポール装置１において地下箱（格納ケース）２０からポール１０が突き出ている状態の一例を示す。
ポール装置１の蓋部２１は開口２２と排水口２３を有する。ポール装置１は、地下箱２０の蓋部２１が地面とほぼ同じ高さになるように、地下箱２０を地面に埋設して使用される。ポール装置１は、車等の出入りを許すとき、ポール１０を下降させてポール１０を地下箱２０に格納する。このとき、ポール１０の頭部の表面１１は、地下箱２０の蓋部２１とほぼ同じ高さ、すなわち、地面とほぼ同じ高さに位置する。一方、ポール装置１は、車等の出入りを禁止するとき、図１に示すように、ポール１０を蓋部２１の開口２２から地上に突出させる。
なお、蓋部２１の排水口２３は、後述するように、地下箱２０の内部に溜まった水等を排出するための穴である。
【００１４】
図２は、本発明の実施形態に係るポール装置１の構成の一例を示す。図２では、地下箱２０は、側面部が省略され、蓋部２１と底部２４のみが示されている。また、ポール１０の側面部が透明に描かれている。
なお、図１と図２の同一の構成要素には同一の符号が付されている。
【００１５】
ポール装置１は、ポール１０と、地下箱２０と、昇降部と、駆動部と、ポンプ部とを備える。
ここで、昇降部は、支柱３１と、支持プレート３２と、長ネジ３３と、長ネジナット３４と、ベースプレート３５と、ボルト３６と、ボルト３７とを含む。
駆動部は、電動モータ４１と、モータ歯車４２と、長ネジ歯車４３とを含む。
ポンプ部は、ポンプ室５１と、排水管５２と、逆止弁５３と、歯車５４と、歯車５５と、歯車５６と、図２に示されていないインペラ（羽根車）５７とを含む。なお、インペラ５７はポンプ室５１の内部に配置される。インペラ５７については後で図５と図６を参照しながら説明する。
【００１６】
昇降部と駆動部とポンプ部は、地下箱２０の内部に収納（配置）される。
ポール１０は、図２に示すように、内部に空洞を有し、底部に開口１２を有する円筒である。ポール１０の頭部は表面１１により蓋をされて塞がれている。昇降部と駆動部はポール１０の内部の空洞に収納（配置）される。
【００１７】
駆動部は、電動モータ４１により昇降部を駆動する。ここで、本実施形態に係るポール装置１は電磁ブレーキを備えていないが、後述するように、昇降部の長ネジ３３として台形ネジを用いるため、ポール１０が上昇した状態で電動モータ４１への電気の供給がストップしてもポール１０は下降しない。
昇降部は、駆動部によって駆動されてポール１０を上昇および下降させる。
ポンプ部は、駆動部が昇降部を駆動するとき、駆動部によって同時に駆動され、地下箱２０の内部に溜まった水を排水口２３より排出する。
【００１８】
以下、各部の構成と動作について詳細に説明する。まず、昇降部について説明する。
支柱３１は、その下端部がポンプ室５１の蓋部に固定した形で取り付けられており、ポール１０の開口１２から内部の空洞に伸びる。支柱３１は、図３に示すように、例えば断面がＬ字形の形状を備える。支柱３１の上端には、支持プレート３２が固定した形で取り付けられている。
【００１９】
長ネジ３３は、外周面に螺旋状の溝（おねじのねじ溝）が刻まれた円柱である。長ネジ３３は、車等の出入りを禁止するために十分な高さまでポール１０を上昇させ、また、ポール１０の頭部の表面１１が地下箱２０の蓋部２１とほぼ同じ高さとなるまでポール１０を下降させるために必要な長さを有している。
長ネジ３３は、地下箱２０内に軸支され、支柱３１と同様に、ポール１０の開口１２から内部の空洞に伸びる。長ネジ３３の上端は、支持プレート３２に設けられた穴を通って突き出している。長ネジ３３は、支持プレート３２により回転可能に保持されている。長ネジ３３の上端には、駆動部に含まれる長ネジ歯車４３が取り付けられている。一方、長ネジ３３の下端には、ポンプ部に含まれる歯車５６が取り付けられている。長ネジ歯車４３が回転すると、長ネジ３３も一緒に回転する。そして、長ネジ３３が回転すると、歯車５６も一緒に回転する。
【００２０】
長ネジナット３４は、図４の断面図に示すように、内周面に長ネジ３３の螺旋状の溝に対応する溝（めねじのねじ溝）が刻まれた穴を持つ。その穴に長ネジ３３がはめ込まれる。長ネジナット３４は、長ネジ３３が回転すると、上昇または下降する。
ベースプレート３５は、長ネジ３３が貫通する穴を持つ。ベースプレート３５は、上方を向いた一方の主面に長ネジナット３４が固定した形で取り付けられており、長ネジナット３４とともに上昇または下降する。また、ベースプレート３５は、その側面がボルト３６とボルト３７によってポール１０の内周面に固定されている。このため、ベースプレート３５が上昇または下降するとポール１０も同時に上昇または下降する。
【００２１】
ここで、本実施形態では、長ネジ３３として台形ねじを用いる。そして、長ネジナット３４の穴には台形ねじに対応する溝（めねじのねじ溝）が刻まれている。このため、本実施形態に係るポール装置１は電磁ブレーキを備えていないが、ポール１０が上昇した状態で電動モータ４１への電気の供給がストップしてもポール１０は下降しない。
【００２２】
次に、駆動部について説明する。
駆動部は、上述したように、電動モータ４１とモータ歯車４２と長ネジ歯車４３とを備えている。長ネジ歯車４３は長ネジ３３の上端に取り付けられている。
電動モータ４１は、支持プレート３２の下に吊り下げる形で固定され、支柱３１の上端部に保持されている。モータ歯車４２は、支持プレート３２の穴を通ってその上に突き出ている。電動モータ４１は、電源により図示しない電源コードを介して給電されて回転する。
電動モータ４１が回転すると、モータ歯車４２が回転する。そして、モータ歯車４２が回転すると、長ネジ歯車４３が回転し、長ネジ３３が回転する。従って、モータ歯車４２と長ネジ歯車４３は、電動モータ４１の回転を長ネジ３３の上端部に伝達して長ネジ３３を回転させる。
【００２３】
次に、ポンプ部について説明する。
上述したように、ポンプ部は、ポンプ室５１と、排水管５２と、逆止弁５３と、歯車５４と、歯車５５と、歯車５６と、インペラ（羽根車）５７とを備える。
図５に示すように、インペラ５７は、ポンプ室５１の内部に配置される。また、ポンプ室５１は、吸込口５９と、吐出口６０とを備える。吸込口５９は、ポンプ室５１の底部に設けられており、インペラ５７の回転軸の直下に位置する。吐出口６０は、ポンプ室５１の蓋部の外縁に設けられている。
【００２４】
歯車５４と歯車５５と歯車５６は、ポンプ室５１の蓋部に回転可能に取り付けられている。歯車５６は、主面に長ネジ３３の下端部が固定されている。長ネジ３３が回転すると、歯車５６も一緒に回転する。歯車５６が回転すると歯車５５が回転し、歯車５５が回転すると歯車５４が回転する。また、歯車５４には、インペラ５７の回転軸５８が固定されている。このため、歯車５４が回転すると、インペラ５７が回転する。従って、電動モータ４１が長ネジ３３を回転させると、インペラ５７が回転する。
なお、歯車５４と歯車５５と歯車５６は、伝達部の一例である。
【００２５】
ここで、ポールが上昇するときと下降するときに長ネジ３３が回転する方向は逆である。伝達部は上述したように構成されるので、ポールが上昇するときと下降するときにインペラ５７も逆の方向に回転する。
【００２６】
インペラ５７は、図６に示す形状を有する。インペラ５７が正方向（例えば、時計周り）と逆方向（例えば、反時計周り）のいずれの方向に回転する場合でも、水に遠心力が働き、インペラ５７は回転軸の直下から水を吸上げ、吸上げられた水を外周に向けて流す。このため、地下箱２０の内部に水が溜まっている場合には、インペラ５７が高速に回転すると、正方向（時計周り）と逆方向（反時計周り）のいずれの方向に回転しても、吸込口５９から吸い込まれて吐出口６０から吐出される水の流れが生じる。従って、インペラ５７が高速に回転すると、吸込口５９から地下箱２０に溜まった水が吸い込まれ、吸い込まれた水は吐出口６０から吐出される。
【００２７】
排水管５２は、吐出口６０に流れ込んだ水を地下箱２０の蓋部２１の排水口２３に導く。排水口２３の手前に逆止弁５３が設けられている。逆止弁５３は、地下箱２０の内部から外部への水の流出を許容し、かつ地下箱２０の外部から内部への水の流入を規制する。
このようにして、地下箱２０の内部に溜まった水は、排水口２３から排出される。
【００２８】
なお、インペラ５７が回転すると、排水口２３から水や空気が流出する。このとき、電源コード等を引き込むための穴等から空気が地下箱２０の内部に流入する。このため、排水口２３から水や空気が流出しても地下箱２０の内部の空気圧が低下することはない。
【００２９】
また、排出口２３が上に向いた構造では、インペラ５７が高速に回転すると水が高く吹き上がるおそれがある。これは、例えば、図７に示すように、排水口２３を水平方向に向けることにより防止することができる。
【００３０】
なお、上記実施形態ではポール１０は円筒としたが、ポール１０は、円筒に限らず、例えば断面が六角形の角筒状等異なる形状であってもよい。
また、上記実施形態では支柱３１はＬ字形の断面形状を有するとしたが、Ｕ字形等異なる断面形状を有していてもよい。また、円柱等異なる形状の支柱が複数本存在してもよい。
【００３１】
また、上記実施形態では、長ネジナット３４はベースプレート３５の上方を向いた一方の主面に取り付けられているとしたが、長ネジナット３４はベースプレート３５の下方を向いた他方の主面（地下箱２０の底部２４と対抗する主面）に取り付けられていてもよい。
また、長ネジナット３４を持たず、長ネジ３３が貫通するベースプレート３５の穴の内周面に長ネジ３３の螺旋状の溝に対応する溝（めねじのねじ溝）が刻まれた構成としてもよい。
【００３２】
また、上記実施形態では、長ネジ３３として台形ねじを用い、長ネジナット３４は台形ねじに対応する溝（めねじのねじ溝）が刻まれた穴を持つとしたが、長ネジ３３としてボールねじや三角ねじ等他のねじを用い、長ネジナット３４はそのねじに対応する溝（めねじのねじ溝）が刻まれた穴を持ってもよい。
ただし、長ネジ３３として、例えば、ボールねじを用いた場合には、ポール１０が上昇している状態で電動モータ４１への電気の供給がストップするとポール１０が下降するおそれがある。長ネジ３３としてこのようなねじを用いる場合には、電磁ブレーキを付加するか、あるいは電動モータ４１として電磁ブレーキ付き電動モータを用い、電動モータ４１への電気の供給がストップすると電磁ブレーキが作動する構成とすることが望ましい。
【００３３】
また、上記実施形態では、歯車５４と歯車５５と歯車５６で構成される伝達部の例を示したが、歯車の数は３個に限らず任意の個数の歯車で構成してよい。また、伝達部の動力伝達手段として歯車ではなく、無端帯状のベルトを用いてもよい。
【００３４】
以上説明したように、本発明によれば、ポール装置において、電動ポンプのような大がかりな設備がなくても、格納ケース（地下箱）に進入した水を確実に排出することができる。
【００３５】
また、ポール１０はコップを伏せたような構造となっている。上述した実施形態のように、電動モータ４１を含む駆動部をポール１０の内部に格納した場合、ポール１０の内部の空気によってポール１０の内部に水が入り込むことはできない。このため、たとえ、地下箱２０の内部に雨水等が浸入したとしても電動モータ４１が水に浸かるのを防止することができる。
【００３６】
電動モータ４１を含む駆動部をポール１０の外部に配置することもできる。ただし、この構成には、上述した電動モータ４１が水に浸かるのを防止することができるという効果はない。
【００３７】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００３８】
１…ポール装置、１０…ポール、１１…ポールの頭部の表面、１２…ポールの下端の開口、２０…地下箱、２１…地下箱の蓋部、２２…地下箱の蓋部の開口、２３…地下箱の蓋部の排水口、２４…地下箱の底部、３１…支柱、３２…支持プレート、３３…長ネジ、３４…長ネジナット、３５…ベースプレート、３６、３７…ボルト、４１…電動モータ、４２…モータ歯車、４３…長ネジ歯車、５１…ポンプ室、５２…排水管、５３…逆止弁、５４、５５、５６…歯車、５７…インペラ（羽根車）、５８…インペラの回転軸、５９…吸込口、６０…吐出口
【図１】
2011246876.tif 000003
【図２】
2011246876.tif 000004
【図３】
2011246876.tif 000005
【図４】
2011246876.tif 000006
【図５】
2011246876.tif 000007
【図６】
2011246876.tif 000008
【図７】
2011246876.tif 000009